(57)【特許請求の範囲】
【請求項１】
ケーシングと該ケーシングの軸線上に位置して該ケーシングの両端側にそれぞれ固定的に設けられ鏡板に渦巻状のラップ部が立設された第１，第２の固定スクロールとからなる固定側部材と、
該第１，第２の固定スクロール間に位置して前記ケーシング内に設けられ、ロータとステータとが前記ケーシングの軸線と同一方向となるように配置された電動機と、
前記ケーシングの軸線を中心とした外側転動体を有すると共に該外側転動体の内側に配置されケーシングの軸線に対し偏心した偏心軸線を中心として転動する内側転動体を有する偏心軸受と、
前記電動機のロータを挟んで前記ケーシングの軸線方向に延び両端が前記偏心軸受の外側転動体に支持された中空軸体からなり前記ロータによって回転される回転軸と、
該回転軸内を前記偏心軸線上に遊嵌して設けられ、前記偏心軸受の内側転動体に支持されて旋回運動する旋回軸と、
該旋回軸の両端側にそれぞれ設けられ、第１，第２の固定スクロールと対面して鏡板に第１，第２の固定スクロールのラップ部と重なり合って複数の圧縮室を画成するラップ部が立設された第１，第２の旋回スクロールとを備えてなるスクロール式流体機械において、
前記第１，第２の旋回スクロールにはそれぞれ第１，第２のボルト挿通穴を設け、それぞれ第１，第２の締結部材を前記第１，第２のボルト挿通穴に挿通することにより、前記旋回軸には前記第１，第２の旋回スクロールをそれぞれ固定的に取付け、
前記第１，第２のボルト挿通穴の周壁を前記第１，第２の旋回スクロールのラップ部最内周端側の内側線に沿った円弧と部分的に一致させる構成としたことを特徴とするスクロール式流体機械。
【請求項２】
前記第１，第２の締結部材は前記偏心軸線から径方向にずれた位置に配置してなる請求項１に記載のスクロール式流体機械。
【請求項３】
前記第１，第２の締結部材は前記第１，第２の旋回スクロールのラップ部最内周端側の内側線に沿った円弧の中心と一致させて配置してなる請求項１または２に記載のスクロール式流体機械。
【発明の詳細な説明】
【０００１】
【発明の属する技術分野】
本発明は、例えば空気圧縮機等として好適に用いられるスクロール式流体機械に関する。
【０００２】
【従来の技術】
一般に、スクロール式流体機械は、ケーシングと、該ケーシングに設けられ鏡板に渦巻状のラップ部が立設された固定スクロールと、前記ケーシングに回転可能に設けられた駆動軸と、前記ケーシング内で該駆動軸の先端側に旋回可能に設けられ、鏡板に前記固定スクロールのラップ部と重なり合って複数の圧縮室を画成するラップ部が立設された旋回スクロールとを備えている。
【０００３】
この種の従来技術によるスクロール式流体機械は、外部から駆動軸を回転駆動し、旋回スクロールを固定スクロールに対して一定の偏心寸法をもって旋回運動させることにより、固定スクロールの外周側に設けた吸込口から空気等の流体を吸込みつつ、この流体を固定スクロールのラップ部と旋回スクロールのラップ部との間の各圧縮室内で順次圧縮し、固定スクロールの中心部に設けた吐出口から圧縮流体を外部に向けて吐出する。
【０００４】
また、他の従来技術によるスクロール式流体機械として、圧縮空気量を増やすために、下記の如く構成されたものが知られている（例えば特開２０００−１３０３６５号公報等）。
【０００５】
即ち、この従来技術によるスクロール式流体機械は、ケーシングに軸方向に離間して第１，第２の固定スクロールを設け、これら各固定スクロール間には、電動機を配設している。また、ケーシング内には、両端側が偏心軸受の外側軸受部に支持された回転軸と、該回転軸の内周側に遊嵌されて両端側が偏心軸受の内側軸受部により支持された旋回軸とを設け、該旋回軸の両端側には第１，第２の固定スクロールとそれぞれ対向して第１，第２の旋回スクロールを固定的に設ける構成としている。
【０００６】
この種の従来技術によるスクロール式流体機械は、電動機を作動してロータを回転すると、この回転によって回転軸は偏心軸受の外側軸受部に支持された状態で回転運動を行うと共に、旋回軸は偏心軸受の内側軸受部に支持された状態で旋回運動を行い、これにより第１，第２の旋回スクロールを同時に旋回させ、全体の圧縮空気量を増やすようにしている。
【０００７】
【発明が解決しようとする課題】
ところで、上述した特開２０００−１３０３６５号公報に記載されたスクロール式流体機械は、旋回軸を第１，第２の旋回スクロールのボス部に対し廻止め状態で強固に固定することが要求される。しかし、この従来技術にあっては、旋回軸の両端側を圧入により第１，第２の旋回スクロールのボス部内に固定して取付ける構成としている。
【０００８】
このため、旋回軸の外径および旋回スクロールのボス部の内径の寸法精度を高める必要があり、これら旋回軸、旋回スクロールの加工性が低下するという問題がある。また、圧入により旋回軸を旋回スクロールに取付けるため、取付作業に手間がかかり、取付性が低下するという問題がある。
【０００９】
本発明は上述した従来技術の問題に鑑みなされたもので、本発明の目的は、第１，第２の旋回スクロールを旋回軸に容易に固定して取付けることができ、取付時の作業性等を高められるようにしたスクロール式流体機械を提供することにある。
【００１０】
【課題を解決するための手段】
上述した課題を解決するために請求項１の発明によるスクロール式流体機械は、ケーシングと該ケーシングの軸線上に位置して該ケーシングの両端側にそれぞれ固定的に設けられ鏡板に渦巻状のラップ部が立設された第１，第２の固定スクロールとからなる固定側部材と、該第１，第２の固定スクロール間に位置して前記ケーシング内に設けられ、ロータとステータとが前記ケーシングの軸線と同一方向となるように配置された電動機と、前記ケーシングの軸線を中心とした外側転動体を有すると共に該外側転動体の内側に配置されケーシングの軸線に対し偏心した偏心軸線を中心として転動する内側転動体を有する偏心軸受と、前記電動機のロータを挟んで前記ケーシングの軸線方向に延び両端が前記偏心軸受の外側転動体に支持された中空軸体からなり前記ロータによって回転される回転軸と、該回転軸内を前記偏心軸線上に遊嵌して設けられ、前記偏心軸受の内側転動体に支持されて旋回運動する旋回軸と、該旋回軸の両端側にそれぞれ設けられ、第１，第２の固定スクロールと対面して鏡板に第１，第２の固定スクロールのラップ部と重なり合って複数の圧縮室を画成するラップ部が立設された第１，第２の旋回スクロールとを備えている。
【００１１】
そして、請求項１の発明が採用する構成の特徴は、前記第１，第２の旋回スクロールにはそれぞれ第１，第２のボルト挿通穴を設け、それぞれ第１，第２の締結部材を前記第１，第２のボルト挿通穴に挿通することにより、前記旋回軸には前記第１，第２の旋回スクロールをそれぞれ固定的に取付け、前記第１，第２のボルト挿通穴の周壁を前記第１，第２の旋回スクロールのラップ部最内周端側の内側線に沿った円弧と部分的に一致させる構成としたことにある。
【００１２】
このように構成したことにより、第１，第２の旋回スクロールをそれぞれ第１，第２の締結部材を用いて旋回軸に対して強固に固定して取付けることができる。そして、回転軸を偏心軸受の外側転動体を介して回転させたときには、旋回軸を偏心軸受の内側転動体を介して旋回させることができる。従って、旋回スクロールが一体となった旋回軸を偏心軸受により旋回させ、この状態で固定スクロールと旋回スクロールとの間の圧縮室内に流体を吸込んで圧縮することができる。
【００１３】
また、請求項２の発明は、第１，第２の締結部材は偏心軸線から径方向にずれた位置に配置している。このように構成したことにより、第１，第２の旋回スクロールが旋回軸の軸線となる偏心軸線を中心に位置ずれする（回転する）のを第１，第２の締結部材がストッパとなって抑えることができ、各旋回スクロールを旋回軸に対し廻止め状態に保持することができる。
【００１４】
さらに、請求項３の発明は、第１，第２の締結部材は前記第１，第２の旋回スクロールのラップ部最内周端側の内側線に沿った円弧の中心と一致させて配置している。このように構成したことにより、第１，第２の締結部材を第１，第２の旋回スクロールのラップ部最内周端側の内側線に沿った円弧の中心側のスペースを利用して取付けることができる。
【００１５】
【発明の実施の形態】
以下、本発明の実施の形態によるスクロール式流体機械としてスクロール式空気圧縮機を例に挙げ、図１ないし図４の添付図面に従って詳細に説明する。
【００１６】
図中、１は後述の固定スクロール５Ａ，５Ｂと共に固定側部材を構成する筒状のケーシングで、該ケーシング１は、スクロール式空気圧縮機の外枠を形成している。そして、ケーシング１は、図１に示すように軸線Ｏ−Ｏを有したケーシング本体２と、該ケーシング本体２の両端側に固着して設けられた軸受取付筒部３Ａ，３Ｂと、該軸受取付筒部３Ａ，３Ｂに固着して設けられ、固定スクロール５Ａ，５Ｂを外側から取囲んだ有底筒状のスクロール収容筒部４Ａ，４Ｂとにより構成されている。
【００１７】
５Ａ，５Ｂはケーシング１の両端側にそれぞれ固定的に設けられた第１，第２の固定スクロールで、該第１の固定スクロール５Ａは、略円板状に形成され、中心がケーシング１の軸線Ｏ−Ｏと一致するように配設された鏡板６Ａと、該鏡板６Ａの表面に立設された渦巻状のラップ部７Ａと、鏡板６Ａの外周側に一体形成され、ケーシング１のスクロール収容筒部４Ａ内に嵌合して設けられた嵌合筒部８Ａとによって構成されている。また、第２の固定スクロール５Ｂについても、鏡板６Ｂ、ラップ部７Ｂおよび嵌合筒部８Ｂによって構成されている。
【００１８】
９は固定スクロール５Ａ，５Ｂ間に位置してケーシング１内の中間部に設けれた電動機で、該電動機９は、ケーシング本体２の内周側に固定的に設けられたステータ１０と、該ステータ１０の内周側に該ステータ１０によって回転するように配設されたロータ１１とによって構成されている。また、ステータ１０の軸線とロータ１１の軸線はケーシング１の軸線Ｏ−Ｏと同一軸線上に配置されている。そして、電動機９は、ロータ１１を回転することにより後述の回転軸１９を駆動するものである。
【００１９】
１２Ａ，１２Ｂは固定スクロール５Ａ，５Ｂと電動機９との間に位置して、軸受取付筒部３Ａ，３Ｂの内周側にそれぞれ設けられた第１，第２の偏心軸受で、該第１の偏心軸受１２Ａは、外輪１３Ａと、該外輪１３Ａの内周側に外側転動体となる複数の球体１４Ａによって回転可能に設けられ、回転軸１９の外周側に固着された外側中輪１５Ａと、回転軸１９の内周側に固着された内側中輪１６Ａと、該内側中輪１６Ａの内周側に内側転動体となる複数の球体１７Ａによって回転可能に設けられた内輪１８Ａとによって構成されている。
【００２０】
ここで、外輪１３Ａは、軸受取付筒部３Ａの内周側に圧入して取付けられ、軸線Ｏ−Ｏ上に配置される。また、外側中輪１５Ａは、球体１４Ａによって外輪１３Ａの内周側に位置決めされ、軸線Ｏ−Ｏ上に配置されている。そして、この状態で球体１４Ａは外輪１３Ａと外側中輪１５Ａとの間を軸線Ｏ−Ｏを中心として転動する。
【００２１】
これに対して内側中輪１６Ａは、外輪１３Ａの軸線Ｏ−Ｏに対して径方向に一定寸法δだけ偏心した偏心軸線Ｏ1−Ｏ1上に配置されている。また、内輪１８Ａは、球体１７Ａによって内側中輪１６Ａの内周側に位置決めされ、偏心軸線Ｏ1−Ｏ1上に配置されている。そして、この状態で球体１７Ａは偏心軸線Ｏ1−Ｏ1を中心に転動する。
【００２２】
かくして、偏心軸受１２Ａは、外側中輪１５Ａと内側中輪１６Ａとが回転軸１９と一体に回転することにより、旋回軸２０と一体となった内輪１８Ａが軸線Ｏ−Ｏを中心として寸法δの旋回運動を行なうものである。また、第２の偏心軸受１２Ｂについても、外輪１３Ｂ、球体１４Ｂ、外側中輪１５Ｂ、内側中輪１６Ｂ、球体１７Ｂおよび内輪１８Ｂによって構成されている。
【００２３】
１９は電動機９のロータ１１を挟んで両端側が後述の偏心軸受１２Ａ，１２Ｂに設けられた回転軸で、該回転軸１９は、中空軸体として形成され、電動機９のロータ１１内周側に挿嵌されて固定的に設けられている。また、回転軸１９は、図１に示すように、外周側がケーシング１の軸線Ｏ−Ｏ上に配置されるのに対し、内周側は軸線Ｏ−Ｏに対して径方向に一定寸法δだけ偏心した偏心軸線Ｏ1−Ｏ1上に配置される。そして、回転軸１９は、両端側が後述する偏心軸受１２Ａ，１２Ｂの球体１４Ａ，１４Ｂに回転可能に支持され、ロータ１１と一体となって回転するものである。
【００２４】
２０は回転軸１９内に遊嵌して設けられた旋回軸で、該旋回軸２０は、中実な円柱体として形成され、偏心軸線Ｏ1−Ｏ1上に配置されている。そして、旋回軸２０は後述する偏心軸受１２Ａ，１２Ｂの球体１７Ａ，１７Ｂにそれぞれ回転可能に支持され、軸線Ｏ−Ｏを中心として寸法δの旋回半径をもった旋回運動を行うものである。
【００２５】
２１Ａ，２１Ｂは固定スクロール５Ａ，５Ｂと対面して旋回軸２０の軸方向両端側にそれぞれ固定的に設けられた第１，第２の旋回スクロールで、該第１の旋回スクロール２１Ａは、円板状に形成され偏心軸線Ｏ1−Ｏ1上に配置された鏡板２２Ａと、該鏡板２２Ａの表面に立設された渦巻状のラップ部２３Ａとによって大略構成されている。
【００２６】
ここで、ラップ部２３Ａは、図２に示すように最内周端側２３Ａ1から最外周端側２３Ａ2に亘って曲率半径を拡大させながら渦巻状に延びている。そして、ラップ部２３Ａは、最内周端側２３Ａ1の内側線２３Ａ3に沿った円弧の中心が後述の締結ボルト取付軸線Ｏ2−Ｏ2と一致している。
【００２７】
そして、旋回スクロール２１Ａのラップ部２３Ａは、固定スクロール５Ａのラップ部７Ａに対し例えば１８０度だけずらして重なり合うように配設され、両者のラップ部７Ａ，２３Ａ間には複数の圧縮室２４Ａ，２４Ａ，…が画成される。
【００２８】
また、スクロール式空気圧縮機の運転時には、吸込口（図示せず）から外周側の圧縮室２４Ａ内に空気を吸込みつつ、この空気を旋回スクロール２１Ａが旋回運動する間に各圧縮室２４Ａ内で順次圧縮し、最後に中心側の圧縮室２４Ａから後述の吐出口３０Ａを介して外部に圧縮空気を吐出する。また、第２の旋回スクロール２１Ｂについても、鏡板２２Ｂおよびラップ部２３Ｂ等によって構成され、固定スクロール５Ｂのラップ部７Ｂとの間には圧縮室２４Ｂが画成される。
【００２９】
２５Ａ，２５Ｂは旋回スクロール２１Ａの鏡板２２Ａに設けられた第１，第２のボルト挿通穴で、該第１のボルト挿通穴２５Ａは、有底の大径穴部２５Ａ1と小径穴部２５Ａ2からなる段付穴として形成されている。
【００３０】
ここで、ボルト挿通穴２５Ａは、図２、図３に示すように締結ボルト取付軸線Ｏ2−Ｏ2（締結ボルト取付軸心Ｏ2）上に位置して配置される。そして、この締結ボルト取付軸線Ｏ2−Ｏ2は、旋回軸２０の軸線と一致した偏心軸線Ｏ1−Ｏ1から径方向に一定の寸法εX，εYだけ偏心した位置に配置されるものである。
【００３１】
また、ボルト挿通穴２５Ａは、大径穴部２５Ａ1の周壁に沿った円弧がラップ部２３Ａの最内周端側２３Ａ1の内側線２３Ａ3に沿った円弧と部分的に一致している。さらに、ボルト挿通穴２５Ａの大径穴部２５Ａ1底部には環状のシール取付溝２６Ａが設けられている。また、第２のボルト挿通穴２５Ｂについても段付穴として形成されると共に、このボルト挿通穴２５Ｂにはシール取付溝（図示せず）が設けられている。
【００３２】
２７Ａ，２７Ｂは旋回スクロール２１Ａ，２１Ｂに締結して設けられた締結部材としての第１，第２の締結ボルトで、該第１の締結ボルト２７Ａは、旋回スクロール２１Ａのボルト挿通穴２５Ａ内に挿通され、前述した締結ボルト取付軸線Ｏ2−Ｏ2上で旋回軸２０の端部側に螺着されている。
【００３３】
このため、締結ボルト２７Ａは旋回スクロール２１Ａを旋回軸２０に対し廻止め状態で固定するストッパとしての機能を有している。また、第２の締結ボルト２７Ｂについても締結ボルト取付軸線Ｏ2−Ｏ2上に配置され、旋回スクロール２７Ｂを旋回軸２０に対し廻止め状態で固定する構成となっている。
【００３４】
２８Ａは旋回スクロール２１Ａのシール取付溝２６Ａ内に設けられたシールリングで、該シールリング２８Ａは、Ｏリングとして形成され、ボルト挿通穴２５Ａと締結ボルト２７Ａとの間を気密にシールしている。また、ボルト挿通穴２５Ｂと締結ボルト２７Ｂとの間にも他のシールリング（図示せず）が配設され、両者の間を気密にシールしている。
【００３５】
なお、２９はケーシング１の軸受取付筒部３Ａと旋回スクロール２１Ａとの間に設けられた複数の補助クランク（２個のみ図示）で、該補助クランク２９は、旋回スクロール２１Ａ，２１Ｂの自転を防止するものである。また、３０Ａ，３０Ｂは圧縮室２４Ａ，２４Ｂの中心側に位置して固定スクロール５Ａ，５Ｂに設けられた吐出口である。
【００３６】
本実施の形態によるスクロール式空気圧縮機は上述の如き構成を有するもので、次にその作動について説明する。
【００３７】
まず、電動機９のロータ１１を回転すると、該ロータ１１と一体となった回転軸１９は、偏心軸受１２Ａ，１２Ｂの球体１４Ａ，１４Ｂによって回転運動を行い、このときに旋回軸２０は球体１７Ａ，１７Ｂによって回転軸１９の内周側で回転する。
【００３８】
ここで、前記球体１４Ａ，１４Ｂは、ケーシング１の軸線Ｏ−Ｏを中心として回転するのに対し、球体１７Ａ，１７Ｂは軸線Ｏ−Ｏに対して径方向に寸法δだけ偏心した偏心軸線Ｏ1−Ｏ1を中心として回転するから、内輪１８Ａ，１８Ｂと一体となった旋回軸２０は、球体１７Ａ，１７Ｂにより軸線Ｏ−Ｏを中心として寸法δの旋回半径をもった旋回運動を行い、旋回スクロール２１Ａ，２１Ｂを旋回させる。
【００３９】
この結果、固定スクロール５Ａと旋回スクロール２１Ａとの間に画成された各圧縮室２４Ａはそれぞれ連続的に縮小し、吸込口から吸込んだ外気を各圧縮室２４Ａで順次圧縮しつつ、この圧縮空気を吐出口３０Ａから外部の空気タンク（図示せず）等に貯留させる。また、固定スクロール５Ｂと旋回スクロール２１Ｂとの間に画成された各圧縮室２４Ｂについても、それぞれが連続的に縮小することにより、圧縮空気を前記空気タンク等に貯留させる。
【００４０】
ここで、本実施の形態では、旋回スクロール２１Ａ，２１Ｂを締結ボルト２７Ａ，２７Ｂを用いて旋回軸２０に取付ける構成としたので、締結ボルト２７Ａ，２７Ｂを旋回スクロール２１Ａ，２１Ｂに締付けるだけで、旋回スクロール２１Ａ，２１Ｂを旋回軸２０に対して強固に直接固定することができる。
【００４１】
これにより例えば従来技術で述べたように旋回スクロール２１Ａ，２１Ｂを旋回軸２０に圧入して取付ける手間がなくなり、旋回スクロール２１Ａ，２１Ｂの取付性を高められると共に、旋回軸２０、旋回スクロール２１Ａ，２１Ｂの加工時の作業性を高めることができる。
【００４２】
しかも、締結ボルト２７Ａ，２７Ｂは旋回軸２０の軸線と一致した偏心軸線Ｏ1−Ｏ1から一定の寸法εX，εYだけ偏心した位置で旋回軸２０に取付ける構成としたので、旋回スクロール２１Ａ，２１Ｂを締結ボルト２７Ａ，２７Ｂにより旋回軸２０に対して廻止め状態で固定することができ、運転時に旋回スクロール２１Ａ，２１Ｂが旋回軸２０に対して不用意に位置ずれする（回転する）不具合を防止することができる。
【００４３】
また、旋回スクロール２１Ａ，２１Ｂのボルト挿通穴２５Ａ，２５Ｂと締結ボルト２７Ａ，２７Ｂとの間にはシールリング２８Ａ等を設ける構成としたので、旋回スクロール２１Ａ，２１Ｂと締結ボルト２７Ａ，２７Ｂとの間をシールリング２８Ａ等によって気密にシールでき、これにより圧縮室２４Ａ，２４Ｂ内の圧縮空気がボルト挿通穴２５Ａ，２５Ｂを通じて外部に漏洩する不具合を解消でき、当該空気圧縮機の性能、信頼性等を高めることができる。
【００４４】
さらに、ボルト挿通穴２５Ａを、旋回スクロール２１Ａを構成するラップ部２３Ａ最内周端側２３Ａ1の内側線２３Ａ3に沿った円弧の中心となる締結ボルト取付軸線Ｏ2−Ｏ2上に配置したので、ラップ部２３Ａの内側線２３Ａ3をボルト挿通穴２５Ａの大径穴部２５Ａ1周壁と一致させることができ、ラップ部２３Ａの形状、取付位置等を変更することなく、ボルト挿通穴２５Ａを鏡板２２Ａに設けることができる。
【００４５】
なお、実施の形態では、偏心軸受１２Ａに用いる中輪を、外側中輪１５Ａと内側中輪１６Ａの２部材で構成する場合を例に挙げて説明したが、これに替えて、例えば図５に示す変形例のように、偏心軸受４１Ａは、実施の形態による外側中輪１５Ａと内側中輪１６Ａとを互いに一体化して形成することにより、中輪４４Ａを１部材で構成してもよい。
【００４６】
ここで、偏心軸受４１Ａは、外輪４２Ａ、外側転動体としての球体４３Ａ、中輪４４Ａ、内側転動体としての球体４５Ａおよび内輪４６Ａによって構成されている。
【００４７】
また、実施の形態では、スクロール式流体機械としてスクロール式空気圧縮機を例に挙げて説明したが、本発明はこれに限らず、例えば冷媒圧縮機等にも広く適用できるものである。
【００４８】
【発明の効果】
以上詳述した通り、請求項１に記載の発明によれば、第１，第２の旋回スクロールにはそれぞれ第１，第２のボルト挿通穴を設け、それぞれ第１，第２の締結部材を前記第１，第２のボルト挿通穴に挿通することにより、旋回軸には前記第１，第２の旋回スクロールをそれぞれ固定的に取付け、前記第１，第２のボルト挿通穴の周壁を前記第１，第２の旋回スクロールのラップ部最内周端側の内側線に沿った円弧と部分的に一致させる構成としたので、第１，第２の旋回スクロールをそれぞれ第１，第２の締結部材を用いて旋回軸に対し強固に固定して取付けることができる。これにより、例えば従来技術で述べたように旋回スクロールを旋回軸に圧入して取付ける必要がなくなり、旋回スクロールの取付性を高められると共に、旋回軸、旋回スクロールの加工時の作業性を高めることができる。
【００４９】
また、請求項２の発明は、第１，第２の締結部材は旋回軸の軸心から径方向に偏心した位置に配置したので、旋回スクロールが旋回軸の軸心を中心として回転するのを締結部材により抑えることができ、旋回スクロールを旋回軸に対し廻止め状態に保持することができ、旋回スクロールを旋回軸に対しより強固に固定することができる。
【００５０】
さらに、請求項３の発明は、第１，第２の締結部材を第１，第２の旋回スクロールのラップ部最内周端側の内側線に沿った円弧の中心と一致させて配置する構成としたので、第１，第２の締結部材を第１，第２の旋回スクロールのラップ部最内周端側の内側線に沿った円弧の中心側のスペースを利用して取付けることができ、旋回スクロールのラップ部の形状、取付位置等を変更することなく、締結部材を旋回スクロールに設けることができる。
【図面の簡単な説明】
【図１】本発明の実施の形態によるスクロール式空気圧縮機を示す縦断面図である。
【図２】第１の旋回スクロールを図１中の矢示II−II方向から拡大してみた断面図である。
【図３】第１の旋回スクロールを図２中の矢示III−III方向からみた断面図である。
【図４】図１中の旋回軸、第１の旋回スクロールおよび第１の締結ボルト等を拡大して示す部分拡大断面図である。
【図５】本発明の変形例によるスクロール式空気圧縮機を示す縦断面図である。
【符号の説明】
１  ケーシング
５Ａ，５Ｂ  固定スクロール
６Ａ，６Ｂ，２２Ａ，２２Ｂ  鏡板
７Ａ，７Ｂ，２３Ａ，２３Ｂ  ラップ部
９  電動機
１２Ａ，１２Ｂ，４１Ａ  偏心軸受
１４Ａ，１４Ｂ，４３Ａ  球体（外側転動体）
１７Ａ，１７Ｂ，４５Ａ  球体（内側転動体）
１９  回転軸
２０  旋回軸
２１Ａ，２１Ｂ  旋回スクロール
２３Ａ1  最内周端側
２３Ａ3  内側線
２４Ａ，２４Ｂ  圧縮室
２７Ａ，２７Ｂ  締結ボルト（締結部材）
Ｏ−Ｏ  軸線
Ｏ1−Ｏ1  偏心軸線
Ｏ2−Ｏ2  締結ボルト取付軸線
【図１】
0004676091.tif 000002
【図２】
0004676091.tif 000003
【図３】
0004676091.tif 000004
【図４】
0004676091.tif 000005
【図５】
0004676091.tif 000006